(57)【要約】【課題】木製板材の両面に凹凸条を、板断面内の中間部に凹溝の切込みのない板状の切残し部を残して形成し、板表面積を増大させて内部からの芳香を持続的に発散する芳香パネルにすると共に、板材の曲げに対する強度を有しパネル利用や組立て加工等を行い易くすることができるスリットパネルを提供する。【解決手段】スリットパネルを、木製板材の両面に表面積を増大させる多数の凹溝６と突条７からなる凹凸条を、板断面内の中間部に凹溝６の切込みのない板状の切残し部８を残して形成した。また凹凸条は木製板材の表側と裏側で互いに交差する方向に形成し、スリットパネルの用途を拡大することができる。【選択図】図２
0003130145.tif 000002
【実用新案登録請求の範囲】
【請求項１】
木製板材の両面に、表面積を増大させる多数の凹溝（６）と突条（７）からなる凹凸条を、板断面内の中間部に凹溝（６）の切込みのない板状の切残し部（８）を残して形成したスリットパネル。
【請求項２】
凹凸条を木製板材の表側と裏側で互いに交差する方向に形成した請求項１のスリットパネル。
【請求項３】
スリットパネル（１）の端部の切残し部（８）の凹溝（６ａ）の深さを、他の部分の凹溝（６）の溝深さより浅く形成して切残し部（８）の厚みを他の部分より大きく形成し、該端部の切残し部（８）の端面に連結片（１１）を嵌合させて他のスリットパネル（１）と突合せ接合する連結溝（９）を形成してなる請求項１又は２のスリットパネル。
【請求項４】
複数のスリットパネル（１）の端部を突合せ、その外周に外枠部材（１２）を嵌合することにより建具用部材として利用する請求項１又は２又は３のスリットパネル。
【請求項５】
複数のスリットパネル（１）の端部を突合せて連結し、その外周に外枠部材（１２）を嵌合して組立スリットパネル（１ａ）を構成し、複数枚の組立スリットパネル（１ａ），（１ａ）を蝶番（１３）で折畳み自在に連結してなる請求項１又は２又は３又は４のスリットパネル。
【請求項６】
凹凸条を木製板材の繊維方向に形成し、上記木製板材の一端を水に浸漬させて立設する芳香用の装飾壁（５）とした請求項１又は２又は３又は４又は５のスリットパネル。
【請求項７】
凹凸条を木製板材の繊維方向に形成し、上記木製板材を凹凸条を横向きとして床面に敷いて足を載せる芳香用の足マット（５ｂ）とした請求項１又は２又は３又は４又は５又は６のスリットパネル。
【考案の詳細な説明】
【技術分野】
【０００１】
本考案は、木製板材の両面に多数の凹溝と突条からなる凹凸条を形成したスリットパネルに関する。
【背景技術】
【０００２】
従来、木製板材の両面に多数の凹溝と突条からなる凹凸条を形成したスリットパネルは、特許文献１で示されるように既に公知である。
このスリットパネルは板材の表側に所定ピッチで凹溝を穿設することにより突条を形成し、該表側の突条の中央に対し裏側から凹溝をそれぞれ穿設して裏側の突条を形成し、板材内部から外部へ芳香を発散させる構成としている。そして、表側と裏側に凹凸条を形成したスリットパネルは、戸板等の枠体に組み付けることにより、芳香を発する建材として使用される。これにより例えば桧や杉等では精油成分に含まれる香によって、人に爽快感や自然感を与えると共にストレスを低減したり快眠を促すこと、及びダニや白蟻等の活力を奪ってその被害を抑制させること等が知られている。
【特許文献１】特開２００４−１４９８号公報
【考案の開示】
【考案が解決しようとする課題】
【０００３】
上記特許文献１で示されるスリットパネルは、表面積を増やし木の内部の香を発散させることができる利点がある。然しこのスリットパネルは、表側の突条に対し裏側から凹溝を穿設して裏側の突条を形成するので、板材は表側の凹溝と裏側の凹溝を介して表側及び裏側に湾曲し易く、また板材が乾燥すると隣接する表側の凹溝と裏側の凹溝によって形成される薄い板厚部分から割れ易い等の問題がある。従って、このスリットパネルを外力の掛かる部分に単体で用いたり、水中に立設して使用したりすることが困難で用途も制約される等の問題がある。
【課題を解決するための手段】
【０００４】
上記課題を解決するためにスリットパネルは、第１に、木製板材の両面に、表面積を増大させる多数の凹溝６と突条７からなる凹凸条を、板断面内の中間部に凹溝６の切込みのない板状の切残し部８を残して形成したことを特徴としている。
【０００５】
第２に、凹凸条を木製板材の表側と裏側で互いに交差する方向に形成したことを特徴としている。
【０００６】
第３に、スリットパネル１の端部の切残し部８の凹溝６ａの深さを、他の部分の凹溝６の溝深さより浅く形成して切残し部８の厚みを他の部分より大きく形成し、該端部の切残し部８の端面に連結片１１を嵌合させて他のスリットパネル１と突合せ接合する連結溝９を形成してなることを特徴としている。
【０００７】
第４に、複数のスリットパネル１の端部を突合せ、その外周に外枠部材１２を嵌合することにより建具用部材として利用することを特徴としている。
【０００８】
第５に、複数のスリットパネル１の端部を突合せて連結し、その外周に外枠部材１２を嵌合して組立スリットパネル１ａを構成し、複数枚の組立スリットパネル１ａ，１ａを蝶番１３で折畳み自在に連結してなることを特徴としている。
【０００９】
第６に、凹凸条を木製板材の繊維方向に形成し、上記木製板材の一端を水に浸漬させて立設する芳香用の装飾壁５としたことを特徴としている。
【００１０】
第７に、凹凸条を木製板材の繊維方向に形成し、上記木製板材を凹凸条を横向きとして床面に敷いて足を載せる芳香用の足マット５ｂとしたことを特徴としている。
【考案の効果】
【００１１】
以上のように構成される本考案によれば、木製板材の両面に多数の凹溝と突条からなる凹凸条を、板断面内の中間部に凹溝の切込みのない板状の切残し部を残して形成したことにより、板表面積を増大させて内部からの芳香を持続的に発散する芳香パネルにすることができる。またスリットパネルは両面に凹凸条によってやわらかな木質感を提供し、且つ両面の凹凸条により消音及び吸音性に勝れた防音パネルにすることもできる。
そして、切残し部は板厚の中程に凹溝を形成しない板状を形成するので、板材の曲げに対する強度を有しパネル利用や組立て加工等を行い易くすることができる。また突条と切残し部との一体的な強度を高め、乾燥時や水に濡らした際の板割れを防止する。
【００１２】
木製板材の表側と裏側で凹凸条を互いに交差する方向に形成したことにより、１枚のスリットパネルの切残し部の厚さを保持しながら、表側と裏側の凹凸条による意匠や触感を変え、表側と裏側との用途を変えて使用することができる。
【００１３】
スリットパネルの端部の切残し部の凹溝の深さを、他の部分の凹溝の溝深さより浅く形成して切残し部の厚みを他の部分より大きく形成し、該端部の切残し部の端面に連結片を嵌合させて他のスリットパネルと突合せ接合する連結溝を形成したことにより、連結溝を形成する端部の強度を損なうことなく連結片を嵌合し隣接するスリットパネルを確実に連結することができる。またの連結溝を形成する端部にも他の部分と同様に凹溝を形成するので、外観を損なうことなく凹凸条を連続的に形成することができる。
【００１４】
複数のスリットパネルの端部を突合せ、その外周に外枠部材を嵌合することにより、大きな板材を要することなく間伐材を使用し広幅で強固な建具用部材等を製作することができる。
【００１５】
複数のスリットパネルの端部を突合せて連結し外枠部材を嵌合して構成した複数枚の組立スリットパネルを、蝶番で折畳み自在に連結したことにより、床面に立設する壁物と床面に敷設する敷物とに簡単に切り換えて使用することができる。
【００１６】
凹凸条を木製板材の繊維方向に形成し、上記木製板材の一端を水に浸漬させて立設することにより、水浸漬部分からスリットパネルの内部に水を浸透させて繊維方向に沿って吸い上げ、増大された表面に香成分を溶出誘導し、香の発散及び水の蒸散等の作用を持続させる芳香用のパネルにすることができる。
【００１７】
木製板材の繊維方向に形成した凹凸条を横向きとして床面に敷いて足を載せるスリットパネルとしたことにより、足を前後に動かして行う足裏の刺激を凹凸条によって行うことができ、また突条に沿って足の左右移動を滑らかに行うことができ、且つ芳香を十分に発散する足マットにすることができる。
【考案を実施するための最良の形態】
【００１８】
以下図示する本考案の実施形態について説明する。図面において符号１は本考案に関わるスリットパネルである。このスリットパネル１は図１〜図８で示すように、衝立或は間仕切り壁，装飾用壁等の壁物２として、また床やベッド，椅子の上に敷く敷物３として使用することができ、また図９〜図１３で示すように建具４にすることができる。さらにスリットパネル１は図１６に示す装飾壁５や、図１７に示すブロック体５ａ、図１８〜図２０に示す足マット５ｂのような用途等に広く使用することができる。さらにスリットパネル１は図２１〜図２４で示すように床板５ｃを構成したり、図２５〜図２６で示すように畳タイプの敷物３を構成することができる。
【００１９】
先ず図１〜図６に示すスリットパネル１の構造と使用態様について説明する。図１，図２で示す実施形態のスリットパネル１は、長方形の木製板材（以下単に板材と言う）の両面に、凹溝６と突条７からなる凹凸条を、板断面内の中間部に凹溝６の切込みのない切残し部８を板状となるように残して形成している。
【００２０】
これによりスリットパネル１は両面に凹凸条によって形成される凹凸模様の美観と清潔感を有した木質によるやわらかな雰囲気を提供し、且つ両面の凹凸条により音の直接反射を緩和し消音及び吸音性に勝れた防音パネルにすることもできる。そして、多数の凹溝６により板表面積を増大させて、木材内部からの芳香を発揮する芳香パネルにすることができる等の特徴がある。
【００２１】
このスリットパネル１の製作は所定の刃厚を有する回転鋸盤によって、少なくとも片面側（表面側）は木の繊維方向に沿って凹溝６を設定深さで切削加工をし、次いで他面側（裏面側）に凹溝６の切削加工を行うことが望ましい。これにより凹溝６の切込みのない中間板状の切残し部８を所定厚さで強度を確保して形成し、切残し部８の両側全面に多数の突条７を簡単に形成することができる。
【００２２】
この際、鋸盤による溝切削は板材の全幅に対し所定の溝ピッチを有して行うと、板幅全体に凹溝６（スリット模様）を一定方向に揃えて形成するので、乾燥や収縮に伴う応力を分散し突条７が切残し部８の補強リブとなった状態で板割れを防止する。さらに、板厚の中程に凹溝６を形成しない切残し部８を設けたスリットパネル１は、板幅の曲げに対する強度を有してパネル利用や組立て加工等を妨げない。また切残し部８と突条７との一体的な強度を高めるので、板材が乾燥する際に生じ易い乾燥割れを抑制すると共に、水に濡らしたり浮かべて使用する際の強度を保持する。
【００２３】
また板材を香りの高い桧材や杉材等とした場合には、桧精油等の芳香を長期間にわたって板材深部から発散することができ、人に爽快感や自然感を提供し、ストレスの低減或いは解消等の効果を凹凸模様による意匠性に併せて発揮することができる。
尚、図示例のスリットパネル１は、凹凸条を木製板材の表側と裏側で互いに交差する方向に形成した例を示す。
【００２４】
そして、スリットパネル１は外周の端面中央部に沿って所定の深さと幅で連結溝９を穿設しており、該連結溝９に後述する角棒状の連結片１１を嵌合し、隣接する部材と接合する構成にしている。
図示例では３枚のスリットパネル１を、隣接する長辺に形成された連結溝９に連結片１１を嵌合し互いに突合せた状態で接合している。そして、接合される３枚のスリットパネル１は、外枠部材１２で囲んで嵌合させた状態で枠組み固定することにより、１枚状の広幅スリットパネルとしての組立スリットパネル１ａを構成している。
【００２５】
このとき各スリットパネル１の対応する辺は、外枠部材１２の内周に穿設される連結溝９ａと連結片１１を介して接合される。またスリットパネル１の端部の切残し部８の凹溝６ａの深さを、他の部分の凹溝６の溝深さより浅く形成して切残し部８の厚みを他の部分より大きく形成し、該端部の切残し部８の端面に連結片１１を嵌合させて他のスリットパネル１と突合せ接合する連結溝９を形成している。
【００２６】
これにより連結溝９を形成する端部の強度を損なうことなく、連結片１１を嵌合し隣接するスリットパネル１を確実に連結する。また連結溝９を形成する端部側にも他の部分と同様の外観による凹溝６ａを形成するので、凹凸条を板面に広く連続的に形成し意匠性を高めることができる。
尚、上記接合手段は一方の部材に突設した凸部を他方の部材に穿設した連結溝に挿入する構造、又はクギ，ネジ，接着剤或いはホゾ軸組等の任意な接合手段によって行うことができる。
【００２７】
次に上記のように構成される組立スリットパネル１ａの実施形態について説明する。この例では複数の組立スリットパネル１ａを、対向する外枠部材１２を蝶番１３で連結する構成にしている。これにより図１で示すように、連結された組立スリットパネル１ａ，１ａを蝶番１３を介し平面視でヘ字状に屈曲させて床面に立てることができ、衝立或は間仕切り壁，装飾用壁等の壁物２にすることができる。
また蝶番１３を介し組立スリットパネル１ａ，１ａを伸ばすと長方形になり、床やベッドの上に敷く敷物３にすることができ用途を広げることができる。
【００２８】
この実施形態の蝶番１３は図３で示すように、複数の回動部１４を有する屏風蝶番を採用しており、取付片１５，１５を隣接する組立スリットパネル１ａの外枠部材１２の所定箇所に取付固定している。これにより図３で点線に示すように、一方の組立スリットパネル１ａに対し他方の組立スリットパネル１ａを蝶番１３を介し直線状に伸長させると、壁物２として使用することができる。また一方の組立スリットパネル１ａは他方の組立スリットパネル１ａに対して実線状態から逆向き点線の方向及び角度に切り換えて簡単に使用することができる。
【００２９】
即ち、逆向き姿勢に変更した場合には、組立スリットパネル１ａの他側（裏側）に形成した凹凸条を正面側に現すことができ、表側のものと趣を異にした意匠を簡単に表して使用することができる。
また上記壁物２として使用される組立スリットパネル１ａ，１ａは、折り畳むと一枚状の組立スリットパネル１ａの大きさになるので、コンパクトに纏めて運搬や格納を行うことができ、且つ開いて伸長すると組立スリットパネル１ａの２倍の長さを有する敷物３にすることができる。
【００３０】
また壁物２の場合に横向き凹凸条の意匠となる組立スリットパネル１ａは、図４で示すように寝具用の縦長の敷物３にすると、凹凸条は長手方向になるので、敷物３の上に敷かれる敷布類の横ずれを縦方向の凹凸条によって阻止することができる。また多数の凹溝６を形成したスリットパネル１は、身体を柔らかな感触で受けると共に凹溝６内に空気を閉じ込め保温性にも勝れるので、木の香りを味わいながら心地よく使用でき快眠を促進させることができる等の特徴がある。
【００３１】
次にスリットパネル１を利用した壁物２の別使用例について図５，図６を参照し説明する。尚、前記実施形態のものと同様な構成及び作用については説明を省略する。図５は左右の組立スリットパネル１ａ，１ａを蝶番１３で連結した壁物２を、間仕切りされるスペースのコーナー部に配して立設することにより、間仕切室１５を構成する例を示す。図６は図５の壁物２に使用することができる別実施形態の組立スリットパネル１ａの一例を示す。
【００３２】
この例では組立スリットパネル１ａの高さを背丈に見合う高さで構成し、隣接する壁物２の組立スリットパネル１ａ，１ａは、出入口を除き必用箇所を連結して間仕切室１５を構成する。また組立スリットパネル１ａ，１ａの間には、必要により延長用の組立スリットパネル１ｂを設置して接続すると間仕切室１５を拡大することができる。
【００３３】
図６で示す組立スリットパネル１ａは戸板状建具とした例を示しており、パネル本体部１６の上部に障子部１７を設け、且つ下部の一部にスリットパネル１を設けたデザインとしている。この例によれば組立スリットパネル１ａは、上下の障子部１７とスリットパネル１によって和風の雰囲気を創出する壁物２にすることができる。
尚、組立スリットパネル１ａの上部並びに下部に、図示しない透かし孔付のスリットパネルを設けると、和風の趣を損なうことなく通気性と採光性を備えた壁物２にすることができる。
【００３４】
次に図７，図８を参照しスリットパネル１を利用した敷物３の別実施形態について説明する。図７は前記のもと同様の構造からなり、横向きのスリットパネル１の枚数を増やし、人が寝ることができる長方形に構成した組立スリットパネル１ａを示す。
図８は図７の敷物３の裏側面に形成される凹凸条の例を示している。この敷物３はスリットパネル１に形成される凹凸条を、縦向き或は斜め向きに形成したものを組み入れて意匠の多様化を図り、且つ横向に形成される表側の凹凸条とは異なる接触感を得るようにしている。
【００３５】
次に図９〜図１３で示すスリットパネル１を利用した建具４の各実施形態について説明する。図９は外枠部材１２の中程に中間横枠１２ａを設け、上下の枠内に複数のスリットパネル１を枠組みした戸板（ドア）を示す。この建具４は図１０，図１１に示すように、凹凸条を縦向きに形成した各スリットパネル１を前記組立スリットパネル１ａのもと同様に連結片１１を介して枠組みしている。
【００３６】
図１２の建具４は、外枠部材１２の中程に中間横枠１２ａと中間縦枠１２ｂを設け、上下左右の枠内に凹凸条を横向に形成した複数のスリットパネル１を枠組みした戸板を示す。この建具４は外枠部材１２と中間横枠１２ａと中間縦枠１２ｂによって、短いスリットパネル１を安定よく支持することができる利点がある。
【００３７】
図１３の建具４は、外枠部材１２内の上下に障子部１７と透かし孔付のスリットパネル１９を設け、両者の間に複数のスリットパネル１からなるパネル本体部１６を設置し、和風の雰囲気を創出する構成としている。
尚、孔付パネル１９は図１４で示すように、板材の表側に穿設した凹溝６に対し、裏側から向きを異ならせてラップする深さＨの透溝６ｂを穿設し両溝のラップ部分に通し孔２０を設けると、通気用のスリットパネルにすることができる。この際に表側の各凹溝６を斜め方向に穿設すると、各突条７は点線で示すように斜め向きになり通し孔２０を外観し難くするので、例えば内部を覗き見されたくないトイレや寝室用の通気ドア或いは仕切壁等に好適化させることができる。
【００３８】
次に図１４，図１５を参照しスリットパネル１に形成される凹凸条の実施形態について説明する。図１４で示す凹凸条は、板断面内の中間部に形成される板状の切残し部８の両側に設ける凹溝６，６を位相をずらして穿設している。これによれば、各凹溝６は切残し部８を介し他側の突条７に対向させるので、板材の曲げ強度を大きくすることができる。
【００３９】
また図１５は切残し部８の両側に形成する凹溝６の断面形状を台形状に切削加工して突条７を形成する例を示している。この凹凸条加工によって形成されるスリットパネル１は、凹溝６内に入った音の振動波を突条７の側面で遮り板表面に出し難くするので、より防音性に勝れたスリットパネル１にすることができる。尚、凹凸条の溝ピッチはスリットパネル１の用途及び意匠的外観の必要性等によって定められる。また凹溝６はＶ字状の断面形状で形成することもできる。
【００４０】
また組立スリットパネル１ａは、異なる向きや形状の凹凸条を形成した板材を組み合わせることにより、さまざまな場所で使用される置物等に相応しい意匠的美観を有して製作することができ、且つ素材特性の芳香を周囲に放出することができる。
さらに、スリットパネル１はその凹溝６に、芳香剤の他に活性炭や脱臭剤等を簡単にセットすることができ持続的に保持させるので、自身が有する芳香拡散機能等に併せ脱臭や空気浄化等の機能を発揮させることができる。
【００４１】
次に図１６〜図２０を参照しスリットパネル１を利用した実用品並びに装飾品等の実施形態について説明する。尚、前記実施形態のものと同様な構造及び作用については説明を省略する。
先ず図１６で示すように、任意断面の凹凸条を形成した装飾壁５を水に浸けて使用する例について説明する。
【００４２】
この装飾壁５は、凹凸条を形成した単体のスリットパネル１を水を収容する花瓶（容器）２１内に立設して使用する。そして、スリットパネル１は花瓶２１に生けられる花類や装飾物等の背景用品として使用することができ、木材を利用し装飾物等と調和する生け花等の新規な装飾表現を創出する。
【００４３】
この際にスリットパネル１は、天端面の形状を点線で示すように傾斜させたり、山谷や円弧等の形状を組み合わせて切削加工すると、板材が使用される場に適応させた意匠にすることができる。また装飾壁５はスリットパネル１の大きさや形状を簡単に加工でき、形状の異なる複数の板材の組み合わせも自由に行うことができるから、大きな水槽や池或いは建物内に設置される噴水施設等にも効果的に使用することができる。
【００４４】
そして、凹凸条を繊維方向に沿って形成したスリットパネル１は、水浸漬部分から水を繊維方向に沿って吸い上げ、表面積を増大しているので板材の低位部を濡らしながら吸い上げをより上方に向けて略均一に行うことができる。従って、スリットパネル１の内部に水を浸透させて内部香成分を表面に溶出誘導し、香の発散及び水の蒸散等の作用（単に放香作用と言う）を板材表面から増大させ且つ持続させることができる。
【００４５】
またスリットパネル１はその天端面に、放香剤を収容する収容穴２２を形成することにより、該収容穴２２に固体又は液体状等の芳香剤を外部に露出させることなく収容することができる。またスリットパネル１の下部に大きな溝穴や通孔等の収容部２２ａを形成すると、収容部２２ａに水の浄化作用を有する木炭やゼオライト等を収容したり、装飾物を支持することができる。
【００４６】
次に図１７を参照しスリットパネル１をブロック状に形成して使用する例について説明する。このスリットパネル（スリットブロック）１は、レンガ形状に形成した板材の表裏に凹溝６と突条７からなる凹凸条を形成し、切残し部８の上下面に左右の取付穴２３，２３を取付け間隔を有し穿設している。これによりスリットパネル１は図示するように、左右に並べたスリットパネル１，１の隣接する取付穴２３，２３に取付ピン２４をそれぞれ挿入し、突出させた状態で該取付ピン２４，２４に上方から別のスリットパネル１の取付穴２３，２３を嵌合させる。
【００４７】
これにより下方に並べたスリットパネル１，１を取付ピン２４を介し上方のスリットパネル１によって順次連結することができ、図１７で示すように複数のスリットパネル１を重ねた状態で、全体として凹凸条の意匠からなる装飾壁を構築することができる。また上記のようにブロック状に形成されるスリットパネル１は、浴槽に入れて浮かべて使用することができ湯に浸して芳香を促進させることができる。
【００４８】
次に図１８〜図２０を参照しスリットパネル１を足マットとして使用する例について説明する。図示例のスリットパネル１は例えば机下の床面に敷き、裸足又は靴下を履いた両足を載せて使用することができる足マット５ｂを構成している。この足マット５ｂは凹溝６及び突条７の方向を横向に形成することが望ましく、これにより足を前後に動かして行う足裏の刺激を効果的に行うことができ、また突条７に沿って足の左右移動を滑らかに行うことができる。
【００４９】
そして、図示例の足マット５ｂは、スリットパネル表面に、木材ボール，ゴルフボール，セラミックボール等からなる指圧ボール２５を指圧位置に載置して転がすことができるボール穴２６，２６と、該指圧ボール２５をマットの中央爪先側に寄せて位置決め保持する保管用のボール穴２７，２７を穿設している。
これにより足マット５ｂは、足裏で凹凸条の木質感の刺激を受けることができると共に、指圧ボール２５を踏みつけて転がしながら足裏の指圧を簡単に行うことができる。
【００５０】
またボール穴２７，２７に指圧ボール２５を移動させると、板面に足を載せ易くすることができると共に、異なる爪先位置での指圧刺激を行うことができる。尚、この足マット５ｂを桧材によって構成し、上記の使用態様で略１ヵ年使用したところ、足マット５ｂの表面は著しく汚れないことが判明し衛生的に使用することができた。また足マット５ｂは桧香を有し、この桧香は突条７の表面をヤスリペーパーで削ると芳香を持続的に再生することができる。
【００５１】
また図示例の足マット５ｂは板材の両端において、板厚の中途部に補強用の心材２９を板幅方向に埋設している。また裏側には縦凹溝３１を表側の凹溝６とラップする深さで疎間隔を有して穿設しており、該凹溝６と縦凹溝３１がラップする部に通気孔（透孔）３２を形成している。従って、この足マット５ｂは、板断面内の空気と接触する表面積をより増大すると共に、凹溝６内の塵埃を通気孔３２から排出し清掃を行い易くすることができる。またこのスリットパネル１は、足マット５ｂに限ることなく任意な置物の載せ板、又は箱板材として多様な用途に使用することができる。
【００５２】
次に図２１〜図２４を参照しスリットパネル１によって床板５ｃを構成し使用する例について説明する。図示例の床板５ｃは、スリットパネル外周の端面中央部に沿って所定の幅と深さで連結溝９を穿設しており、スリットパネル１の片側の長辺と短辺の連結溝９に連結片１１を嵌合している。またスリットパネル１の裏面には合成樹脂材製フローリング用のマット３５を貼着している。
【００５３】
これにより複数の床板５ｃを例えば室内の床面側に張設されるコンパネ等の座板に敷設する際に、長辺と短辺に設けた連結片１１を隣接する床板５ｃの連結溝９に嵌合すると、各床板５ｃを互いに突合せた状態で接合した床面を構成することができる。
このようにスリットパネル１で構成される床板５ｃは、多数の凹溝６と突条７からなる凹凸条によって踏み歩くとき、やわらかな木質感及びマット３５と凹凸条の間で形成される凹溝空間による弾力的な触感並びに断熱性等を提供する勝れた床板材にすることができる。尚、床板５ｃの表面側の凹凸条を省略した平坦面にすることにより、室内の床表面に凹凸条を必用としない場合の床板５ｃにすることができる。
【００５４】
次に図２５〜図２６で示す畳タイプの敷物３を構成する例について説明する。図示例の敷物３は、例えば図１，図２等で示すタイプの組立スリットパネル１ａを用い、イグサゴザ等の畳表材３６によって少なくともその表面側を覆うことにより、スリットパネル１を畳の心材として使用したものである。尚、図２６で示すように、畳表材３６はその両端を外枠部材１２の裏側に止釘等の固定部材によって取付固定し、組立スリットパネル１ａの裏側は敷物用のマット３７を貼着することが望ましい。３８は組立スリットパネル１ａの他方の端部を被覆する被服材である。
【００５５】
上記のように構成される敷物３は２枚組みとして、図２５に示すようにベッド３９に取り外し自在に敷いて使用することが望ましい。この場合には、ベッド３９から外した敷物３は座布団に代わる敷物として利便性を有して用いることができ、また凹溝６内の空気は畳表材３６によって適度に通気性を有した封鎖状態になるので、座り心地や保温性に優れる。尚、ベッド３９の底板はスリットパネル１で構成することができると共に、この上に敷物用のマット３７ａを介して敷物３を敷設することができる。
【００５６】
以上のように構成し使用されるスリットパネル１は、板材の少なくとも片面に形成する凹溝６を木の繊維方向に沿って穿設することにより、例えば元曲がり材や間伐材のように収縮の変化（内部応力）が大きい材料をした場合でも、変形（板の狂い）を防止して用途の拡大を促進することができる。さらに各用途に使用されるスリットパネル１は、節跡の多い間伐材や該間伐材を製品にした余材の利用も促進するので、中山間地森林産業の育成や木工産業の活性化等も図ることができる利点がある。
【００５７】
またスリットパネル１は必要により凹凸条に対し、桧オイルやハーブオイル等のエキス芳香剤，合成芳香剤を予め又は随時的に塗布又は吹き付けることができるため、所望の芳香を簡単に保持させ且つ十分に発散させることができる。また凹溝６内に着色した芳香剤や、装飾性を有する別色の木片を意匠的な配置を以て施工することも簡単で、全体の美観に変化を持たせることができる。
【図面の簡単な説明】
【００５８】
【図１】本考案のスリットパネルの使用例を示す全体斜視図である。
【図２】図１の要部の構成を示す断面図である。
【図３】図１の連結部の構成を示す平面図である。
【図４】図１の壁物を敷物に切り換えて使用する例を示す全体斜視図である。
【図５】図１の壁物を複数配置した状態を示す平面図である。
【図６】図１の壁物の別実施形態を示す正面図である。
【図７】敷物を組立スリットパネルで構成した斜視図である。
【図８】図７の敷物の裏側を示す斜視図である。
【図９】スリットパネルを使用した建具の正面図である。
【図１０】図９のＡ−Ａ線断面図である。
【図１１】図９の外枠部材とスリットパネルの接合部の部分正面図である。
【図１２】図９の別実施形態を示す正面図である。
【図１３】図９のさらに別実施形態を示す正面図である。
【図１４】凹凸条の加工断面の別実施形態を示す断面図である。
【図１５】凹凸条の加工断面の別実施形態を示す断面図である。
【図１６】スリットパネルを使用した装飾壁を示す斜視図である。
【図１７】スリットブロックを使用した装飾壁を示す斜視図である。
【図１８】スリットパネルを使用した足マットを示す平面図である。
【図１９】図１８の正面図である。
【図２０】図１８の側面図である。
【図２１】スリットパネルからなる床板の平面図である。
【図２２】図２１の構成を示す正面図である。
【図２３】図２１の左側面図である。
【図２４】図２１の床板を複数敷設した状態を示す平面図である。
【図２５】スリットパネルを畳表材で覆った敷物をベッドに敷設する状態を示す斜視図である。
【図２６】敷物の構成を示す図２５のＡ−Ａ線断面図である。
【符号の説明】
【００５９】
１    スリットパネル
１ａ  組立スリットパネル
２    壁物
３    敷物
５    装飾壁
５ａ  ブロック体
５ｂ  足マット
７    突条
８    切残し部
９    連結溝
１１  連結片
１２  外枠部材
１３  蝶番
【図１】
0003130145.tif 000003
【図２】
0003130145.tif 000004
【図３】
0003130145.tif 000005
【図４】
0003130145.tif 000006
【図５】
0003130145.tif 000007
【図６】
0003130145.tif 000008
【図７】
0003130145.tif 000009
【図８】
0003130145.tif 000010
【図９】
0003130145.tif 000011
【図１０】
0003130145.tif 000012
【図１１】
0003130145.tif 000013
【図１２】
0003130145.tif 000014
【図１３】
0003130145.tif 000015
【図１４】
0003130145.tif 000016
【図１５】
0003130145.tif 000017
【図１６】
0003130145.tif 000018
【図１７】
0003130145.tif 000019
【図１８】
0003130145.tif 000020
【図１９】
0003130145.tif 000021
【図２０】
0003130145.tif 000022
【図２１】
0003130145.tif 000023
【図２２】
0003130145.tif 000024
【図２３】
0003130145.tif 000025
【図２４】
0003130145.tif 000026
【図２５】
0003130145.tif 000027
【図２６】
0003130145.tif 000028